(57)【要約】  【課題】  入力手段としてキーボードを用いる機器においては、リモコン装置の信号を、文字入力のための信号として受信する方法がないために、離れた場所から文字入力をする場合には、１０６個や１０９個もあるボタンを有しているワイヤレスキーボードを使用しなければならず、利便性を欠いていた。  【解決手段】  リモコン装置と、リモコン信号受信装置とからなるリモコンシステムを提供する。リモコン信号受信装置は、リモコン装置から出力されるキーボード以外のハードウエアを直接的に制御するハードウエア制御信号を受信して、受信したハードウエア制御信号をキーボード信号に変換するための変換する。そして、変換したキーボード信号を出力することで、入力装置の役割を果たす。【選択図】            図２
2006350672.tif 000002
【特許請求の範囲】
【請求項１】
リモコン装置と、
リモコン装置から出力されるキーボード以外のハードウエアを直接的に制御するハードウエア制御信号を受信する受信部と、
受信部にて受信したハードウエア制御信号をキーボード信号に変換するための変換部と、
変換部にて変換したキーボード信号を出力する出力部と、
を有するリモコン信号受信装置と、
からなるリモコンシステム。
【請求項２】
前記変換部は、
ハードウエア制御信号をサーバ識別情報と認識するサーバ識別情報認識手段と、
前記認識したサーバ識別情報に基づいて所定のＵＲＬ情報を取得するＵＲＬ情報取得手段と、
取得した所定のＵＲＬ情報に基づいてキーボード信号を生成するキーボード信号生成手段と、
を含む請求項１に記載のリモコンシステム。
【請求項３】
前記リモコン装置は、コード読取部と、
コード読取部にて読取ったコードに基づいてハードウエア制御信号を出力するハードウエア制御信号出力部と、
を有する請求項１又は２に記載のリモコンシステム。
【請求項４】
前記コード読取部は、読取ったコードを保持する保持手段を有し、
前記ハードウエア制御信号出力部は、前記保持手段にて保持されているコードを利用してハードウエア制御信号を出力する保持コード利用ハードウエア制御信号出力手段を有する請求項３に記載のリモコンシステム。
【請求項５】
請求項１又は２に記載のリモコン信号受信装置。
【請求項６】
リモコン装置から出力されるキーボード以外のハードウエアを直接的に制御するハードウエア制御信号を受信する受信ステップと、
受信ステップにて受信したハードウエア制御信号をキーボード信号に変換するための変換ステップと、
変換ステップにて変換したキーボード信号を出力する出力ステップと、
を有するリモコン信号受信方法。
【請求項７】
前記変換ステップは、
ハードウエア制御信号をサーバ識別情報と認識するサーバ識別情報認識ステップと、
前記認識したサーバ識別情報に基づいて所定のＵＲＬ情報を取得するＵＲＬ情報取得ステップと、
取得した所定のＵＲＬ情報に基づいてキーボード信号を生成するキーボード信号生成ステップと、
を含む請求項６に記載のリモコン信号受信方法。
【請求項８】
請求項６又は７に記載のリモコン装置の動作方法であって、
コード読取ステップと、
コード読取ステップにて読取ったコードに基づいてハードウエア制御信号を出力するハードウエア制御信号出力ステップと、
を有するリモコン装置の動作方法。
【請求項９】
前記ハードウエア制御信号出力ステップは、前記コード読取ステップにて読取って保持されているコードを利用してハードウエア制御信号を出力する保持コード利用ハードウエア制御信号出力ステップを有する請求項８に記載のリモコン装置の動作方法。
【発明の詳細な説明】
【技術分野】
【０００１】
本発明は、リモコンシステムに関する。さらに詳しくは、キーボード信号を出力するリモコン信号受信装置を有するリモコンシステムに関する。
【背景技術】
【０００２】
現在、ＰＣ（Ｐｅｒｓｏｎａｌ  Ｃｏｍｐｕｔｅｒ）には、キーボードとＰＣとを結ぶケーブルをはじめ、モニタやマウスとを結ぶケーブルや、ＬＡＮ（Ｌｏｃａｌ  Ａｒｅａ  Ｎｅｔｗｏｒｋ）に接続するためのケーブルなど、あらゆるケーブルが接続されている。このため、机の上が煩雑になったり、ケーブル分の距離までしか各機器を伸ばすことができなかったりするために、離れた位置から文字を入力することができなかった。このため、赤外線などを利用してケーブルを廃止したコードレスキーボードが開発されている。
【０００３】
しかしながら、コードレスキーボードは、単にケーブルを廃止したキーボードに過ぎず、結局のところ１０６個や１０９個ものボタンを有する鍵盤であるため、文字入力を速やかに行うためにはユーザがキーボードの配置を覚える必要があった。このため、ＰＣに不慣れなユーザにとっては扱い難いものであった。
【０００４】
一方、近年は携帯電話の普及が急速に進み、携帯電話などに搭載されている文字入力機能を利用して、電子メールなどの送信が頻繁に行われている。このため、利用者の中にはキーボードを利用して文字入力するよりも、携帯電話などの親指のみで文字入力をすることができる機器を利用して文字入力を行う方が入力作業を速やかに行うことができるユーザが増えている。
【０００５】
そこで、特許文献１にはリモコンによる操作を行うことが出来、かつ使用者による文字の入力及びマウスなどのポインティングデバイスによるポインタ入力を行うことのできるテレビジョン受信装置に関する発明が開示されている。特許文献１の発明では、テレビジョン受信装置が入力切替手段を有しており、テレビのチャンネルを切り替える信号と、文字入力を行う信号との切替を行うことで、キーボードの使用に対して抵抗感がある者でも容易に文字を入力することができる旨の内容が開示されている。
【特許文献１】特開２００２−１９９２４４号公報
【発明の開示】
【発明が解決しようとする課題】
【０００６】
しかしながら、特許文献１の発明は、テレビジョン受信装置がチャンネル切り替えを行う機能と、文字変換などを行う機能とを兼ね備えていなければならず、汎用性に乏しいという課題があった。また、ＰＣなどの恒常的に入力手段としてキーボードを用いる機器においては、リモコン装置の信号を、文字入力のための信号として受信する手段がないために、離れた場所から文字入力をする場合には、１０６個や１０９個もあるボタンを有しているワイヤレスキーボードを使用しなければならず、利便性に乏しいという課題があった。また、ソファなどに腰掛ながらテレビを見ている際にＰＣを操作する必要が生じた場合には、わざわざＰＣ近くのキーボードを操作しなければならず、快適な生活を送ることができなかった。
【０００７】
そこで、本発明はかかる課題に鑑みてなされたものであり、使用慣れしているリモコン装置をそのまま入力装置として利用可能にすることで、入力時の利便性を図ったリモコンシステムを提供することを目的とする。
【課題を解決するための手段】
【０００８】
そこで、本発明においては、かかる問題点を解決するために、リモコン装置と、リモコン信号受信装置と、からなるリモコンシステムを提供する。
【０００９】
リモコン信号受信装置は、リモコン装置から出力されるキーボード以外のハードウエアを直接的に制御するハードウエア制御信号を受信する受信部と、受信したハードウエア制御信号をキーボード信号に変換するための変換部と、変換したキーボード信号を出力する出力部と、を有する。また、前記変換部は、ハードウエア制御信号をサーバ識別情報と認識するサーバ識別情報認識手段と、認識したサーバ識別情報に基づいて所定のＵＲＬ情報を取得するＵＲＬ情報取得手段と、取得した所定のＵＲＬ情報に基づいてキーボード信号を生成するキーボード信号生成手段と、を含んでいてもよい。
【００１０】
リモコン装置は、コード読取部と、コード読取部にて読取ったコードに基づいてハードウエア制御信号を出力するハードウエア制御信号出力部と、を有していてもよい。また、前記コード読取部は、読取ったコードを保持する保持手段を有し、前記ハードウエア制御信号出力部は、前記保持手段にて保持されているコードを利用してハードウエア制御信号を出力する保持コード利用ハードウエア制御信号出力手段を有していてもよい。
【発明の効果】
【００１１】
本発明によれば、離れた場所からケーブルレスでキーボード入力を行うことができる。また、使用慣れしているリモコン装置を利用して文字入力が可能となるため、利便性の向上が期待できる。
【発明を実施するための最良の形態】
【００１２】
以下に、各発明の実施の形態を説明する。なお、本発明はこれら実施の形態に何ら限定されるものではなく、その要旨を逸脱しない範囲において、種々なる態様で実施しうる。
【００１３】
なお、以下の実施形態と請求項の関係は次の通りである。
実施形態１は、主に請求項１、５、６などについて説明する。
実施形態２は、主に請求項２、５、７などについて説明する。
実施形態３は、主に請求項３、８などについて説明する。
実施形態４は、主に請求項４、９などについて説明する。
【００１４】
<<実施形態１>>
<実施形態１の概要>
本実施形態は、リモコン装置から出力されるハードウエア制御信号をキーボード信号に変換して出力するリモコン信号受信装置を有するリモコンシステムに関するものである。
【００１５】
図１は、実施形態１の概念を説明するための図である。リモコン装置（０１０１）から、リモコン信号受信装置（０１０２）に対してハードウエア制御信号が出力される。そして、リモコン信号受信装置（０１０２）からコンピュータ装置（０１０４）に対して、変換されたキーボード信号がＵＳＢケーブル（０１０３）を介して出力される。コンピュータ装置（０１０４）では、受信したキーボード信号に基づいて、キー入力の処理を行い、処理結果等がモニタ装置（０１０５）に表示される。
【００１６】
<実施形態１の構成>
図２に本実施形態におけるリモコンシステムの機能ブロック図の一例を示す。図２に示す「リモコンシステム」（０２００）は、「リモコン装置」（０２０１）と、「リモコン信号受信装置」（０２０２）と、からなる。リモコン信号受信装置（０２０２）は、「受信部」（０２０３）と、「変換部」（０２０４）と、「出力部」（０２０５）と、を有する。
【００１７】
<実施形態１の構成の説明>
本件発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１８】
「リモコン装置」（０２０１）とは、リモートコントロール装置のことであり、ハードウエアを制御する信号を出力する装置である。図３は、リモコン装置の一例を示す図である。リモコン装置は赤外線や無線電波などを利用してハードウエアを制御する信号を出力する。リモコン装置の具体例としては、テレビのリモコンが挙げられるが、これに限られるものではない。例えば、エアコン装置を制御するためのリモコン装置や、ビデオやＤＶＤなどの映像記録装置を制御するためのリモコン装置など、所定の赤外線や無線電波を出力する装置であれば本実施形態のリモコン装置（０２０１）となり得る。更には、リモコン装置（０２０１）は、赤外線通信に対応している携帯電話であってもよい。赤外線通信に対応している携帯電話は、対応するアプリケーションなどを利用することで、テレビなどのハードウエアを制御する赤外線の信号を送信することが可能であるからである。図４は、赤外線通信に対応している携帯電話の一例を示す図である。
【００１９】
なお、後述するリモコン信号受信装置が、メーカー間の信号の差異を吸収する機能を有している場合などにおいては、リモコン装置はどのようなハードウエアに対応していてもよく、また、汎用的なリモコン装置であってもよい。但し、本実施形態で説明するリモコン装置は、後述するようにハードウエアとしてのキーボードを制御するハードウエア制御信号を出力するものではない。
【００２０】
次に、「リモコン信号受信装置」（０２０２）の各構成について説明する。
【００２１】
「受信部」（０２０３）は、リモコン装置（０２０１）から出力されるキーボード以外のハードウエアを直接的に制御するハードウエア制御信号を受信する。「キーボード以外のハードウエア」とは、ワイヤレスキーボードを除く趣旨である。「ハードウエアを直接的に制御」とは、ハードウエア制御信号がそのハードウエアに対して出力された場合には、そのハードウエアをも当然に制御することが可能であることを意味している。なお、「ハードウエア」とは、テレビ、ビデオ、ＤＶＤ、エアコンなどの機器や、あるいは、各機器を構成する電子回路や周辺機器などを含むものである。受信部（０２０３）は、赤外線などを利用したハードウエア制御信号を受信するための受光素子を有していても良く、受信した信号を復調するための復調回路を有していても良い。
【００２２】
「変換部」（０２０４）は、受信部（０２０３）にて受信したハードウエア制御信号をキーボード信号に変換するためものである。「キーボード信号」とは、例えばキーボードの各ボタンを押下した場合に出力される信号のことであり、キーコードと呼ばれる各キーに対応したキーボードのコードを示す信号のことである。
【００２３】
図５は、キーコードの一例を示す図である。図５に示すように各キーボードにはそれぞれキーコードが付されており、例えば「Ａ」と刻印されているボタンを押下した場合には、キーボードからキーコード「６３」のボタンが押下されたという信号が出力されることになる。また、キーコード「４０」のように、文字に関するキーだけではなく、カーソルキーもキーコードを有しているものである。本実施形態のリモコン信号受信装置（０２０２）は、ハードウエア制御信号をキーボード信号に変換することで、ＰＣなどの入力装置の代替を行うことができる。なお、変換部（０２０４）はハードウエア制御信号をキーボード信号に変換するための所定のルールに関する情報を有していてもよい。例えば、携帯電話などのテンキーを利用した文字入力で利用されている変換ルールを利用して、ハードウエア制御信号をキーボード信号に変換してもよい。
【００２４】
図６は、ハードウエア制御信号をキーボード信号に変換するためのルールの一例を示す図である。ここで、変換部（０２０４）は、所定のハードウエア制御信号が出力された場合には、文字入力モードを切替えるというルールを有していても良い。図６で示すように、例えばリモコン装置（０２０１）の「２」というボタンが押下された場合には、数字モードの場合には、「２」という文字に相当するキーボード信号に変換する。また、英字モードの場合にリモコン装置（０２０１）の「２」というボタンが２回続けて押下された場合には「Ｂ」というキーボード信号に変換する。この場合の動作としては、例えば一回目に「２」が押下された場合には、文字「Ａ」が一度出力され、続けて同じボタンである「２」が押下された場合には、その前にキーボード信号として出力された「Ａ」という文字を打ち消すためにバックスペースのキーボード信号が出力され、続いて文字「Ｂ」に相当するキーボード信号が出力されることになる。なお、かな文字変換で「か」という文字を入力する場合には、図７で示すように、ＰＣなどに対してローマ字として「ｋ」及び「ａ」を示すキーボード信号を併せて出力してもよいし、あるいは、かな文字入力の「か」に相当するキーボード信号（キーボードの示す刻印は「Ｔ」）を出力してもよい。
【００２５】
「出力部」（０２０５）は、変換部（０２０４）にて変換したキーボード信号を出力する。キーボード信号の出力先は、ＰＣなどのキーボードインターフェースを有する機器である。キーボード信号を出力する場合には、例えばＵＳＢケーブルなどを介してＰＣなどにキーボード信号を出力してもよい。このように、リモコン信号受信装置（０２０２）が受信したハードウエア制御信号をキーボード信号に変換して出力することができるため、リモコン信号受信装置（０２０２）が入力装置としての機能を果たすことができ、離れた場所からも容易に文字を入力することができる。
【００２６】
<実施形態１の処理の流れ>
図８に本実施形態における処理の流れの一例を示す。本実施形態における処理は、以下に示すステップよりなる。なお、以下に示す処理の流れは、計算機に実行させるためのプログラム、またはそのプログラムが記録された読取り可能な記録媒体として実施されうる（以下、本明細書における処理の流れの記載についても同様である）。
【００２７】
まず、リモコン装置から出力されるハードウエア信号を受信する（Ｓ０８０１  受信ステップ）。次に、ステップＳ０８０１にて受信したハードウエア制御信号をキーボード信号に変換する（Ｓ０８０２  変換ステップ）。次に、ステップＳ０８０２にて変換したキーボード信号を出力する（Ｓ０８０３  出力ステップ）。以上の処理を行うことで、ＰＣなどに対してキーボード信号を出力することができる。
【００２８】
<実施形態１の効果>
本実施形態におけるリモコンシステムは、リモコン装置からのハードウエア制御信号を、キーボード信号に変換して出力するリモコン信号受信装置を有することにより、リモコン装置から文字入力を実現できる。このため、テレビのリモコンや、携帯電話などの普段使い慣れたリモコン装置を用いてキーボード入力を行うことができるため、ＰＣなどから離れた場所から遠隔でキーボード入力を行うことができる。また、テレビのチャンネル切り替えや、携帯電話の文字入力などに慣れたユーザにとっては、キーボードを用いる場合に比べて、高速に文字入力を行うことができる。さらには、片手を怪我しているユーザにとっても、携帯電話などの片手で扱うことができる機器を利用して文字入力を行うことで、速やかに入力作業を行うことができる。
【００２９】
<<実施形態２>>
<実施形態２の概要>
本実施形態は、リモコン装置からの信号をサーバ識別情報と認識して、所定のＵＲＬ情報を取得してキーボード信号を生成することで、サーバへのアクセスを容易に行うことができるリモコンシステムに関するものである。
【００３０】
図９は、本実施形態の概念の一例を示す図である。リモコン装置（０９０１）は、リモコン信号受信装置（０９０２）に対してハードウエア制御信号を出力する。リモコン信号受信装置（０９０２）は、所定のハードウエア制御信号をサーバ識別情報と認識して、当該サーバのＵＲＬ（ｈｔｔｐ：／／ｗｗｗ．ｑｕｉｘｕｎ．ｃｏ．ｊｐ）を示すキーボード信号を生成して、当該キーボード信号をコンピュータ装置（０９０４）に出力する。コンピュータ装置（０９０４）は、所定のブラウザなどを起動して、当該サーバにアクセスする。そして、モニタ装置（０９０５）には、当該サーバの情報が表示される。
【００３１】
<実施形態２の構成>
図１０に本実施形態におけるリモコンシステムの構成の一例を示す。図１０に示すように、本実施形態における「リモコンシステム」（１０００）は、「リモコン装置」（１００１）と、「リモコン信号受信装置」（１００２）と、からなる。「リモコン信号受信装置」（１００２）は、「受信部」（１００３）と、「変換部」（１００４）と、「出力部」（１００５）と、を有する。変換部（１００４）は、「サーバ識別情報認識手段」（１００６）と、「ＵＲＬ情報取得手段」（１００７）と、「キーボード信号生成手段」（１００８）と、を有する。「サーバ識別情報認識手段」（１００６）と、「ＵＲＬ情報取得手段」（１００７）と、「キーボード信号生成手段」（１００８）と、を除く各構成については実施形態１で説明したものと同様であるため、ここでの説明は省略する。
【００３２】
<実施形態２の構成の説明>
「サーバ識別情報認識手段」（１００６）は、ハードウエア制御信号をサーバ識別情報と認識する。サーバ識別情報とは、例えばインターネットのウェブサーバを識別するための情報が挙げられる。ハードウエア制御信号をサーバ識別情報として認識する例としては、リモコンなどの所定のボタンが押下された場合に出力されるハードウエア制御信号をサーバ識別情報として認識することが挙げられる。
【００３３】
「ＵＲＬ情報取得手段」（１００７）は、前記認識したサーバ識別情報に基づいて所定のＵＲＬ情報を取得する。「前記認識したサーバ識別情報」とは、サーバ識別情報認識手段（１００６）にて認識したサーバ識別情報のことである。「ＵＲＬ情報」とは、インターネット上のウェブサーバのアドレスを示すＵＲＬ（Ｕｎｉｆｏｒｍ  Ｒｅｓｏｕｒｃｅ  Ｌｏｃａｔｏｒ）に関する情報のことである。なお、ＵＲＬ情報取得手段（１００７）は、所定のハードウエア制御信号と、所定のＵＲＬ情報とを関連付けたテーブルを有していてもよい。
【００３４】
「キーボード信号生成手段」（１００８）は、取得した所定のＵＲＬ情報に基づいてキーボード信号を生成する。生成されたキーボード信号は、出力部（１００５）からキーボード信号として出力される。
【００３５】
図１１を用いてサーバ認識情報を利用してキーボード信号を生成する例を説明する。図１１（ａ）は、サーバ識別情報に基づいて取得した所定のＵＲＬ情報に基づいてキーボード信号を生成する一例を示すものである。ＵＲＬ情報取得手段は、サーバ識別情報認識手段にて認識されたサーバ識別情報Ａに基づいて、例えば自身が保持しているＵＲＬ情報Ｃ（ｈｔｔｐ：／／ｗｗｗ．ｑｕｉｘｕｎ．ｃｏ．ｊｐ／）を取得する。そして、キーボード信号生成手段が、取得されたＵＲＬ情報に基づいて、キーボード信号を生成する。
【００３６】
なお、ＵＲＬ情報に基づいてキーボード信号を生成する場合には、例えばブラウザを立ち上げるために必要な所定のキーボード信号を生成してもよいし、更には入力したＵＲＬ情報を実行するための実行キーに相当するキーボード信号を合わせて生成してもよい。具体的な例を、キーボード信号が出力される先のＰＣのＯＳ（Ｏｐｅｒａｔｉｎｇ  Ｓｙｓｔｅｍ）がウィンドウズ（登録商標）である場合を基に説明する。まず、スタートメニューを開くためのウィンドウズ（登録商標）キーを押下し、その後「ファイル名を実行してスタート」を行うために、「Ｒ」のキーを押下した場合に出力されるキーボード信号をＵＲＬ情報の前に付加する。そして、ＵＲＬ情報のキーボード信号を生成した後に、実行キーを押下した場合に出力されるキーボード信号を生成する。そして、これらのキーボード信号をＰＣに対して出力することで、ブラウザを起動させることができる。
【００３７】
次に、図１１（ｂ）を用いて、他の例を説明する。ＵＲＬ情報取得手段は、サーバ識別情報Ｂに基づいて、ＵＲＬ情報Ｄ（ｈｔｔｐ：／／ｗｗｗ．ｑｕｉｘｕｎ．ｃｏ．ｊｐ／１８４４）を取得する。これは、例えばサーバ識別情報Ｂにサーバを識別する情報の他に、サーバ配下のアクセスしたいコード（１８４４）などが含まれている場合の例である。かかる場合であっても、図１１（ａ）で説明したものと同様にキーボード信号生成手段（１００８）は、当該ＵＲＬ情報Ｄに基づいてキーボード信号を生成する。図１１（ｂ）の場合には、ＵＲＬ情報Ｄの示す先が転送サーバである場合には、所定のサーバに対して自由にアクセスすることができる。
【００３８】
<実施形態２の処理の流れ>
図１２に本実施形態における処理の流れの一例を示す。ステップＳ１２０１は実施形態１で説明したものと同様である。ステップＳ１２０２においては、ステップＳ１２０１にて受信したハードウエア制御信号をサーバ識別情報として認識したかを判断する（サーバ識別情報認識ステップ）。ステップＳ１２０２にてサーバ識別情報と認識した場合には、サーバ識別情報に基づいて所定のＵＲＬ情報を取得する（Ｓ１２０３  ＵＲＬ情報取得ステップ）。そして、ステップＳ１２０３にて取得した所定のＵＲＬ情報に基づいてキーボード信号を生成する（Ｓ１２０４  キーボード信号生成ステップ）。一方、ステップＳ１２０２にてサーバ識別情報と認識しない場合には、実施形態１で説明したように、ハードウエア制御信号をキーボード信号に変換する（Ｓ１２０５）。そして、ステップＳ１２０６において、ステップＳ１２０４にて生成されたキーボード信号、又はステップＳ１２０５にて変換されたキーボード信号を出力する。
【００３９】
<実施形態２の効果>
本実施形態においては、ハードウエア制御信号をサーバ識別情報として認識して、ＵＲＬ情報を取得することで、所定のサーバに容易にアクセスすることができる。また、ＵＲＬ情報が転送サーバなどのＵＲＬを示す情報である場合には、当該転送サーバを介してあらゆるサーバに対してアクセスすることが可能となる。
【００４０】
<<実施形態３>>
<実施形態３の概要>
本実施形態は、リモコン装置がコードを読取る機能を有しており、当該読取ったコードに基づいてハードウエア制御信号を出力することが特徴とするリモコンシステムに関するものである。
【００４１】
<実施形態３の構成>
図１３に本実施形態におけるリモコンシステムの機能ブロック図の一例を示す。図１３に示す「リモコンシステム」（１３００）は、「リモコン装置」（１３０１）と、「リモコン信号受信装置」（１３０２）と、からなる。リモコン装置（１３０１）は、「コード読取部」（１３０６）と、「ハードウエア制御信号出力部」（１３０７）と、を有する。リモコン信号受信装置（１３０２）は、「受信部」（１３０３）と、「変換部」（１３０４）と、「出力部」（１３０５）と、を有する。「コード読取部」（１３０６）と、「ハードウエア制御信号出力部」（１３０７）と、を除く各構成については実施形態１で説明したものと同様である。また、実施形態２とも「コード読取部」（１３０６）と、「ハードウエア制御信号出力部」（１３０７）と、を除いて共通した構成をとることができる。
【００４２】
<実施形態３の構成の説明>
「コード読取部」（１３０６）は、コードを読取る機能を有するものである。「コード」とは、情報を表現するための記号や符号のことである。具体的には、ＱＲコード（登録商標）などの２次元バーコードが挙げられる。また、例えば携帯電話などで使われる簡易的なアドレスであってもよい。簡易的なアドレスとは、例えばリモコン装置が携帯電話である場合には、携帯電話用のホームページなどから取得するリンク先に関するコードである。コード読取部（１３０６）にて様々なコードを読取ることで、コードに応じた信号を出力することができる。なお、リモコン装置（１３０１）のボタン表面に印字されている数字や文字などをコードとしてもよい。即ち、ユーザがリモコン装置のボタンを押下した回数等に応じてコードを読取ってもよい。なお、コード読取部（１３０６）は、ＱＲコード（登録商標）などのコードを読取るための撮像素子などを含んでいてもよいし、携帯電話用のサイトからＵＲＬを取得するためのウエブ閲覧部などを含んでいてもよい。
【００４３】
「ハードウエア制御信号出力部」（１３０７）は、コード読取部（１３０６）にて読取ったコードに基づいてハードウエア制御信号を出力する。「コードに基づいて」とは、例えば、読取ったコードに応じたハードウエア制御信号を出力してもよいし、あるいは、読取ったコードに所定の情報を付してハードウエア制御信号を出力してもよいことを示す。一例としては、実施形態２で説明したように、リモコン信号受信装置（１３０２）に対して、サーバ識別情報としてのハードウエア制御信号を出力することが挙げられる。例えば、ＱＲコード（登録商標）から読取ったコードが、「１８４４」である場合には、図１１（ｂ）で示すように、サーバ識別情報に当該コードを加えて出力してもよい。この結果、リモコン信号受信装置（１３０２）において、図１１（ｂ）のＵＲＬ情報Ｄが取得されてもよい。このように、コードを読取って、当該コードに基づいてハードウエア制御信号を出力することが可能であるため、ユーザが複雑なＵＲＬを覚えることなく、所定のサーバ装置に対してアクセスすることが可能となる。
【００４４】
<実施形態３の処理の流れ>
図１４に本実施形態におけるリモコン装置の処理の流れの一例を示す。本実施形態のリモコン装置は、まず、コードを読取る（Ｓ１４０１  コード読取ステップ）。そして、ステップＳ１４０１にて読取ったコードに基づいてハードウエア制御信号を出力する（Ｓ１４０２  ハードウエア制御信号出力ステップ）。ステップＳ１４０２にて出力されたハードウエア制御信号は、リモコン信号受信装置へ出力される。
【００４５】
<実施形態３の効果>
本実施形態においては、コードを読取り、当該読取ったコードに基づいてハードウエア制御信号を出力することが可能なリモコン装置を有していることにより、雑誌や広告やテレビなどに掲載されている簡易的なコードを利用して任意のハードウエア制御信号を出力することができる。このため、ユーザは複雑なＵＲＬなどを覚えることなく、容易に任意のサーバに対してアクセスさせることが可能となる。
【００４６】
<<実施形態４>>
<実施形態４の概要>
本実施形態におけるリモコンシステムは、リモコン装置が読取ったコードを保持することが可能なリモコン装置を有することを特徴とするものである。
【００４７】
<実施形態４の構成>
図１５に本実施形態におけるリモコンシステムの機能ブロック図の一例を示す。図１５に示す「リモコンシステム」（１５００）は、「リモコン装置」（１５０１）と、「リモコン信号受信装置」（１５０２）と、からなる。リモコン装置（１５０１）は、「コード読取部」（１５０６）と、「ハードウエア制御信号出力部」（１５０７）と、を有する。コード読取部（１５０７）は、「保持手段」（１５０８）を有する。ハードウエア制御信号出力部（１５０８）は、「保持コード利用ハードウエア制御信号出力手段」（１５０９）を有する。リモコン信号受信装置（１５０２）は、「受信部」（１５０３）と、「変換部」（１５０４）と、「出力部」（１５０５）と、を有する。「保持手段」（１５０８）と、ハードウエア制御信号出力部（１５０８）と、を除く各構成については実施形態３で説明したものと同様である。
【００４８】
<実施形態４の構成の説明>
「保持手段」（１５０８）は、読取ったコードを保持する。保持手段の具体例としては、メモリやハードディスクなどが挙げられる。読取ったコードを保持しておくことで、様々な使用態様が実現できる。リモコン装置（１５０１）が携帯電話である場合を例に挙げて説明する。通勤時などの電車において携帯電話用のサイトを見たユーザが、当該サイトの詳細な内容をＰＣなどを利用して閲覧しようとする場合には、ＰＣを起動後に当該サイトに対して検索エンジンなどを利用してアクセスする必要があった。しかし、例えば当該サイトを示すコードを携帯サイトから読取り、保持していおくことで、帰宅時に当該読取ったコードをリモコン信号受信装置（１５０２）に送信することで、該当するサーバ装置に対して即座にアクセスすることが可能となる。このように読取ったコードを一旦保持しておくことで、ユーザが当該コードを読取ってから時間的に経過した場合であっても、当該コードを利用することが可能であるため、利便性を高めることができる。
【００４９】
「保持コード利用ハードウエア制御信号出力手段」（１５０９）は、前記保持手段（１５０８）にて保持されているコードを利用してハードウエア制御信号を出力する。
【００５０】
<実施形態４の処理の流れ>
図１６に本実施形態におけるリモコン装置の処理の流れの一例を示す。図１６に示すリモコン装置は、まず、コードを読取る（Ｓ１６０１）。そして、ステップＳ１６０１にて読取ったコードを保持する（Ｓ１６０２）。その後、ステップＳ１６０２にて保持したコードに基づいてハードウエア制御信号を出力する（Ｓ１６０３  保持コード利用ハードウエア制御信号出力ステップ）。ステップＳ１６０３にて出力されるハードウエア制御信号はリモコン信号受信装置に対して出力される。
【００５１】
<実施形態４の効果>
本実施形態は、読取ったコードを保持することが可能であるため、ユーザが外出先などにおいてリモコン装置を用いてコードを読取った場合であっても、帰宅後に当該読取ったコードを利用してハードウエア制御信号を出力することが可能となるため、所定のサーバなどに対して容易にアクセスすることができ、利便性が高まる。
【図面の簡単な説明】
【００５２】
【図１】実施形態１を説明するための概念図
【図２】実施形態１を説明するための機能ブロック図
【図３】リモコン装置の一例を示す図
【図４】リモコン装置が携帯電話である場合の一例を示す図
【図５】キーボード信号を説明するための図
【図６】文字変換を説明するための図
【図７】かな文字変換を説明するための図
【図８】実施形態１のリモコン信号受信装置の処理の流れを説明する図
【図９】実施形態２を説明するための概念図
【図１０】実施形態２を説明するための機能ブロック図
【図１１】サーバ識別情報とＵＲＬ情報とを説明するための図
【図１２】実施形態２のリモコン信号受信装置の処理の流れを説明する図
【図１３】実施形態３を説明するための機能ブロック図
【図１４】実施形態３のリモコン装置の処理の流れを説明する図
【図１５】実施形態４を説明するための機能ブロック図
【図１６】実施形態４のリモコン装置の処理の流れを説明する図
【符号の説明】
【００５３】
０２００    リモコンシステム
０２０１    リモコン装置
０２０２    リモコン信号受信装置
０２０３    受信部
０２０４    変換部
０２０５    出力部
【図１】
2006350672.tif 000003
【図２】
2006350672.tif 000004
【図３】
2006350672.tif 000005
【図４】
2006350672.tif 000006
【図５】
2006350672.tif 000007
【図６】
2006350672.tif 000008
【図７】
2006350672.tif 000009
【図８】
2006350672.tif 000010
【図９】
2006350672.tif 000011
【図１０】
2006350672.tif 000012
【図１１】
2006350672.tif 000013
【図１２】
2006350672.tif 000014
【図１３】
2006350672.tif 000015
【図１４】
2006350672.tif 000016
【図１５】
2006350672.tif 000017
【図１６】
2006350672.tif 000018